(57)【要約】【課題】配線引き出し装置に関し、結露によるコネクタへの水滴の伝達を確実に防止することができるために、結露による不具合を防止することを目的とする。【解決手段】建具１の外壁面に固定され、建具１に開設されて内部配線２が引き出された配線引き出し孔３を覆う配線引き出し装置Ａであって、  建具１に開設された配線引き出し孔３に挿入され、挿入状態において先端から垂下された押し下げ部４により内部配線２を押し下げる挿入突部５を有し、  建具１内部において押し下げ部４により押さえられて低い位置に保持された内部配線２を、表面に行くに従って漸次上方に向かう傾斜姿勢で配線引き出し孔３を通過させることにより構成する。【選択図】  図３
2010090661.tif 000002
【特許請求の範囲】
【請求項１】
建具の外壁面に固定され、建具に開設されて内部配線が引き出された配線引き出し孔を覆う配線引き出し装置であって、
建具に開設された配線引き出し孔に挿入され、挿入状態において先端から垂下された押し下げ部により内部配線を押し下げる挿入突部を有し、
建具内部において押し下げ部により押さえられて低い位置に保持された内部配線を、表面に行くに従って漸次上方に向かう傾斜姿勢で配線引き出し孔を通過させる配線引き出し装置。
【請求項２】
建具の外壁面へのネジ止め部を備え、
前記挿入突部は、ネジ止め部の位置決め手段として使用される請求項１記載の配線引き出し装置。
【請求項３】
背面に挿入突部が形成され、建具の外壁面に固定されるベース部材と、
ベース部材に連結されてベース部材表面を覆うカバー部材とを有し、
前記ベース部材には、内部配線を下方から支承して内部配線を傾斜させる配線支承部が形成される請求項１または２記載の配線引き出し装置。
【請求項４】
挿入突部を開始端としてカバー部材の表面に内部配線を導く配線引き出し経路中に、内部配線が通過可能な切欠部がベース部材の側縁に開放されて形成される請求項３記載の配線引き出し装置。
【請求項５】
前記ベース部材の表面にはコネクタの支持面が形成される請求項３または４記載の配線引き出し装置。
【発明の詳細な説明】
【技術分野】
【０００１】
本発明は、配線引き出し装置に関するものである。
【背景技術】
【０００２】
扉等の建具内部から配線を引き出す際に使用される配線引き出し装置としては、特許文献１に記載のものが知られている。この従来例において、配線引き出し装置はビス等を使用して建具の外壁面に固定されるカバー体を備える。
【０００３】
扉に開設される導出孔（配線引き出し孔）から引き出された内部配線は先端に接続されたコネクタを介して外部配線に接続され、カバー体は、内部配線の引き出し部からコネクタによる連結部を覆う。カバー体には外部配線を引き込むための引き込み孔が開設される。
【特許文献１】実公平３-１７４１７号公報
【発明の開示】
【発明が解決しようとする課題】
【０００４】
しかし、上述した従来例において、内部配線は何らのフォーミング処理を行うことなく扉から引き出されるために、扉内壁面での結露により発生した水が配線を伝ってコネクタに至り、短絡等の不具合が発生する可能性がある。
【０００５】
本発明は以上の欠点を解消すべくなされたものであって、結露による不具合を防止できる配線引き出し装置の提供を目的とする。
【課題を解決するための手段】
【０００６】
配線引き出し装置Ａは、背面側に突出する挿入突部５を扉、框等の建具１に開設した配線引き出し孔３に挿入させた状態で建具１の外壁面に固定されて使用される。挿入突部５の先端には押し下げ部４が垂下されており、挿入突部５を配線引き出し孔３に挿入した状態で内部配線２を下方に押し下げ、押し下げられた内部配線２は、表面に行くに従って漸次上方に向かう傾斜姿勢で配線引き出し孔３を通過して建具外部に引き出される。
【０００７】
この結果、建具１の内壁面で発生した結露により配線を伝ってきた水滴は、傾斜部２ｂの存在により建具外部のコネクタ側への移動が確実に規制され、短絡の発生を防止できる。
【０００８】
内部配線２のフォーミングは、建具内部に挿入された挿入突部５の先端を開始端とするために、建具外部に引き出した後に傾斜姿勢にフォーミングする場合に比して、経路長を長くとることができる。経路長を長くすると、内部配線２の傾斜部２ｂの傾斜角を小さくしても所定の高低差を与えることが可能になり、結果、内部配線２の傾斜部開始端における屈曲曲率を大きくとることができるために、内部配線２へのストレスを低減することが可能になり、内部配線２の断線等を確実に防止できる。
【０００９】
内部配線２の傾斜状態は、押し下げ部４より表面側の位置を、例えば、配線引き出し孔３の周縁で押し上げることにより発生させることが可能であり、この場合、配線引き出し装置Ａの取り付けは、配線引き出し孔３から内部配線２を引き出した後、配線引き出し孔内に挿入突部５を挿入し、次いで、配線引き出し装置全体を下方にスライドさせて建具外壁に固定して行うことができる。
【００１０】
また、配線引き出し装置Ａは、建具表面に固定されるベース部材７と、カバー部材８とに分割して形成することができる。ベース部材７には配線支承部９が形成されて内部配線２を下方から支承して内部配線２を傾斜させる。ベース部材７に配線支承部９を形成することによって配線引き出し孔３との関係を考慮することなく、内部配線２を傾斜させることができるために、取り扱い操作性が向上する。
【００１１】
さらに、挿入突部５を開始端としてカバー部材８の表面に内部配線２を導く配線引き出し経路１０中に、内部配線２が通過可能な切欠部１１を形成し、該配線引き出し経路１０をベース部材７の側縁に開放すると、内部配線２の先端に予めコネクタ１２を固定した状態で配線引き出し操作を行うことができるために、作業性が向上する。
【００１２】
また、ベース部材７を合成樹脂材により形成するとともに、ベース部材７の表面にコネクタ１２の支持面１３を形成した場合には、コネクタ１２の建具表面への接触を防止することができる。この結果、ベース部材７がコネクタ１２と建具表面との温度差が緩和されるために、コネクタ周りでの結露の発生を抑えることができる。
【発明の効果】
【００１３】
本発明によれば、結露によるコネクタへの水滴の伝達を確実に防止することができるために、結露による不具合を防止することができる。
【発明を実施するための最良の形態】
【００１４】
図１ないし図４に本発明の実施の形態を示す。図中は扉枠（建具１’）にヒンジを使用して連結される扉（建具１）であり、扉１に固定される電気錠１５への給電、および制御を行うために、扉１内には複数の細線からなる扉内配線（内部配線２）が布線される。
【００１５】
一方、扉枠１’、および壁面構造体の内部には、コントローラ１６、あるいは商用電源に接続される壁内配線（内部配線２’）が布線される。図３に示すように、扉１、あるいは扉枠１’には配線引き出し孔３が開設され、内部配線２は円形の配線引き出し孔３から一旦外部に引き出された後、コネクタ１２を介して連結される複数の細線からなる外部配線１７を介して相互に接続される。外部配線１７は、複数の細線が外部に露出することによる見苦しさを避けるため及び細線の保護のためにチューブにより覆われる。
【００１６】
配線引き出し装置Ａは、内部配線２の引き出し部２ａ、および外部配線１７との接続部１２、２４を覆うために使用され、ベース部材７と、カバー部材８とから構成される。図４に示すように、ベース部材７は、合成樹脂材を射出成形して製せられ、扉外壁面に沿う扉固定部１８の上下端部に開設されたビス挿通孔６に挿通されるビス１９を使用して扉１の外壁面に固定される。なお、以下において扉１を例にとって配線引き出し装置Ａを説明するが、扉枠１’側でも同一の構造により内部配線２’の引き出しが行われる。
【００１７】
上記ベース部材７の扉固定部１８には上に凸な半円形状の開口２０が開設されるとともに、背面には配線引き出し孔３に挿入可能な四分球殻形状の挿入突部５が突設される。挿入突部５は、上記開口２０の周縁から立ち上げられ、挿入突部５の球殻内に形成される空間部と上記開口２０とは協働してベース部材７の表面に貫通する配線引き出し経路１０を構成する。開口２０はベース部材７の側方に向けて開放される切欠部１１が形成される。
【００１８】
また、挿入突部５の先端部下端は押し下げ部４として機能し、配線引き出し孔３から引き出される内部配線２を下方に押し付ける。さらに、開口２０の直線状上端縁は、配線支承部９として機能して開口２０を通過する内部配線２の下方への移動を規制する。この配線支承部９は、背面視において押し下げ部４と等しいか、あるいはやや高い位置に配置される。
【００１９】
さらに、挿入突部５の基端部における曲率は、配線引き出し孔３にほぼ一致しており、挿入突部５を配線引き出し孔３に挿入した状態で、ビス挿通孔６は扉表面に設定されたビスねじ込み位置に合致する。また、扉固定部１８の背面壁には挿入突部５の基端部における曲率にほぼ一致する曲率の円弧状位置決め突部２１が突設される。
【００２０】
また、ベース部材７の表面部にはコネクタ１２の支持面１３が形成される。この実施の形態において、支持面１３にはコネクタ１２の側壁に当接してコネクタ１２を位置決めする位置決め壁が立設される。
【００２１】
一方、カバー部材８は上記ベース部材７と同様に合成樹脂材を射出成型して形成される。このカバー部材８は、正面視形状がベース部材７にほぼ一致する適宜深さの舟形形状を有しており、上下端に形成される係止爪部２２をベース部材７の対応部２３に弾発係止させることによりベース部材７に連結される。
【００２２】
したがってこの実施の形態において、扉１内の内部配線２を外部に引き出すに際し、まず、内部配線２を配線引き出し孔３から引き出した後、内部配線２を、ベース部材７の切欠部１１から通過させて配線引き出し経路１０にセットする。配線引き出し経路１０への内部配線２の導入は切欠部１１を利用して行われるために、予め内部配線２の先端にコネクタ１２を接続しておくことが可能になり、操作性が向上する。なお、切欠部１１は、内部配線２を複数本まとめた状態で通過できる大きさに形成されている必要はなく、各内部配線２が単線ごとに通過できる大きさに形成されていれば良い。
【００２３】
配線引き出し経路１０に内部配線２を通過させた状態で挿入突部５を配線引き出し孔３に嵌合させると、ビス挿通孔６が扉表面に設定されたビスねじ込み位置に合致するために、この状態からビス挿通孔６にビス１９をねじ込むことによりベース部材７を扉表面に簡単に固定することができる。この後、外部配線１７側に予め接続されたコネクタ２４と内部配線２のコネクタ１２とをプラグイン接続し、さらに、連結状態のコネクタ１２、２４を支持面１３上に嵌合、保持し、次いで、カバー部材８を連結して連結操作が終了する。
【００２４】
配線引き出し装置Ａを扉１に固定した状態で、扉１内の内部配線２はまず挿入突部５の押し下げ部４によって下方に押し付けられた状態で配線引き出し経路１０を通り、ベース部材表面に引き出される。配線引き出し経路１０を挿通する内部配線２は、配線支承部９において上方に押し上げられる結果、押し下げ部４と配線支承部９との間で表面に行くに従って漸次高くなる傾斜姿勢をとる。この傾斜姿勢は、挿入突部５の押し込み操作等によって内部配線２に力が加わって予期しない方向に屈曲した場合であっても、強制的にもたらされる。
【００２５】
この状態で扉内壁面に結露が発生し、水滴が内部配線２を伝ってきても、傾斜部２ｂを上ることはできないために、外部に漏れ出すことはない。この結果、コネクタ１２への着水を確実に防止できるために、短絡等の事故を防止できる。また、コネクタ１２は合成樹脂製のベース部材７上に置かれて扉表面に直接しないために、扉１が金属材料により形成される場合であっても、結露が発生しにくくすることができる。
【図面の簡単な説明】
【００２６】
【図１】本発明の使用状態を示す図である。
【図２】配線引き出し装置を示す図で、（ａ）は斜視図、（ｂ）は正面図である。
【図３】本発明を示す図で、（ａ）は断面図、（ｂ）は３Ｂ方向矢視図である。
【図４】カバー部材とベース部材との連結を示す図で、（ａ）は断面図、（ｂ）は正面図である。
【符号の説明】
【００２７】
１      建具
３      配線引き出し孔
４      押し下げ部
５      挿入突部
６      ネジ止め部
７      ベース部材
８      カバー部材
９      配線支承部
１０    配線引き出し経路
１１    切欠部
１２    コネクタ
１３    支持面
Ａ      配線引き出し装置
【図１】
2010090661.tif 000003
【図２】
2010090661.tif 000004
【図３】
2010090661.tif 000005
【図４】
2010090661.tif 000006